(57)【要約】【課題】時分割で階調の表示を行うディスプレイを駆動する時分割階調表示ディスプレイ用駆動装置およびそのような駆動装置を備えた時分割階調表示ディスプレイにおいて、ディスプレイに流れる電流の最大値を抑制すること。【解決手段】第１、第２、および第３の色画素を有する走査線の各第１の色画素を第１の各データ線からの第１の各データに応じて走査線ごとに上から下へ点灯させ得る第１の点灯走査線駆動部と、第１の点灯走査線駆動部により点灯させられた各第１の色画素を走査線ごとに上から下へ消灯させ得る第１の消灯走査線駆動部と、の組み合わせを第２、第３の色画素についても具備し、さらに第１の各データを各第１の色画素ごとに第１の各データ線を介して与える第１の色信号駆動部を各色信号ごとに具備する。【選択図】図１
2005128306.tif 000002
【特許請求の範囲】
【請求項１】
第１、第２、および第３の色画素を有する走査線の前記各第１の色画素を第１の各データ線からの第１の各データに応じて前記走査線ごとに上から下へ点灯させ得る第１の点灯走査線駆動部と、
前記第１の点灯走査線駆動部により点灯させられた前記各第１の色画素を前記走査線ごとに上から下へ消灯させ得る第１の消灯走査線駆動部と、
前記走査線の前記各第２の色画素を第２の各データ線からの第２の各データに応じて前記走査線ごとに上から下へ点灯させ得る第２の点灯走査線駆動部と、
前記第２の点灯走査線駆動部により点灯させられた前記各第２の色画素を前記走査線ごとに上から下へ消灯させ得る第２の消灯走査線駆動部と、
前記走査線の前記各第３の色画素を第３の各データ線からの第３の各データに応じて前記走査線ごとに上から下へ点灯させ得る第３の点灯走査線駆動部と、
前記第３の点灯走査線駆動部により点灯させられた前記各第３の色画素を前記走査線ごとに上から下へ消灯させ得る第３の消灯走査線駆動部と、
前記第１の各データを前記各第１の色画素ごとに前記第１の各データ線を介して与える第１の色信号駆動部と、
前記第２の各データを前記各第２の色画素ごとに前記第２の各データ線を介して与える第２の色信号駆動部と、
前記第３の各データを前記各第３の色画素ごとに前記第３の各データ線を介して与える第３の色信号駆動部と
を具備することを特徴とする時分割階調表示ディスプレイ用駆動装置。
【請求項２】
前記第１の点灯走査線駆動部と前記第１の消灯走査線駆動部とによる前記各第１の色画素における点灯期間、前記第２の点灯走査線駆動部と前記第２の消灯走査線駆動部とによる前記各第２の色画素における点灯期間、および前記第３の点灯走査線駆動部と前記第３の消灯走査線駆動部とによる前記各第３の色画素における点灯期間が、それぞれ、１フレーム内では２のべき乗比時間の各点灯期間の集合であり、
前記２のべき乗比時間のうち最大の点灯期間が前記１フレーム内で占める時間帯が、前記各第１の色画素と前記各第２の色画素と前記各第３の色画素の３重で重ならないように設定されていること
を特徴とする請求項１記載の時分割階調表示ディスプレイ用駆動装置。
【請求項３】
前記第１の点灯走査線駆動部が前記走査線を上から下へ点灯させていく速度、前記第２の点灯走査線駆動部が前記走査線を上から下へ点灯させていく速度、および前記第３の点灯走査線駆動部が前記走査線を上から下へ点灯させていく速度をそれぞれ互いに異ならせるように、前記第１、第２、第３の点灯走査線駆動部にそれぞれクロック信号を供給する第１、第２、第３の可変クロック周波数発生回路をさらに具備することを特徴とする請求項１記載の時分割階調表示ディスプレイ用駆動装置。
【請求項４】
前記２のべき乗比時間の各点灯期間が、１、２、４、８、１６、および３２の時間比の各点灯期間であることを特徴とする請求項２記載の時分割階調表示ディスプレイ用駆動装置。
【請求項５】
前記２のべき乗比時間の各点灯期間が、その順序として、昇べきの順でなく降べきの順でもないことを特徴とする請求項２記載の時分割階調表示ディスプレイ用駆動装置。
【請求項６】
前記１フレームが、１／６０秒であることを特徴とする請求項２記載の時分割階調表示ディスプレイ用駆動装置。
【請求項７】
請求項１記載の時分割階調表示ディスプレイ用駆動装置と、
該時分割階調表示ディスプレイ用駆動装置に接続・駆動されるパネルと
を具備することを特徴とする時分割階調表示ディスプレイ。
【発明の詳細な説明】
【技術分野】
【０００１】
本発明は、時分割で階調の表示を行うディスプレイを駆動する時分割階調表示ディスプレイ用駆動装置およびそのような駆動装置を備えた時分割階調表示ディスプレイに係り、特に、ディスプレイに流れる電流の最大値を抑制するのに適する時分割階調表示ディスプレイ用駆動装置およびそのような駆動装置を備えた時分割階調表示ディスプレイに関する。
【背景技術】
【０００２】
近年、平面形のディスプレイが多く用いられつつある。そのような平面形ディスプレイの中には、階調を表現するのに時分割で発光時間を制御するものがある。例えば、ＰＤＰ（plasma display panel）や有機ＥＬ（electroluminescent）パネルではこれが用いられ得る。これは、ＣＲＴ（cathode ray tube）のように電子ビームの強さのようなアナログ量では輝度が制御できないからである。
【０００３】
時分割階調表示ディスプレイのおける時分割階調表示のやり方については、例えば、小山潤著、「有機ＥＬパネルの高精細化に向け回路の基本特許を取得」、ＮＩＫＫＥＩ  ＥＬＥＣＴＲＯＮＩＣＳ，２０００．４．２４（ｎｏ．７６８），ｐｐ．１６３−１７０の中に記載されている。その方法を概略的に述べると、１フレーム内で２のべき乗比時間の各点灯を設定し、それらの各点灯のうち所望のものを点灯することで所定の輝度を表現するというものである。所望のものを点灯するためアドレッシング期間が各点灯に先立ち設けられる。
【非特許文献１】ＮＩＫＫＥＩ  ＥＬＥＣＴＲＯＮＩＣＳ，２０００．４．２４（ｎｏ．７６８），ｐｐ．１６３−１７０
【発明の開示】
【発明が解決しようとする課題】
【０００４】
上記のような時分割階調表示ディスプレイでは、当然ながら、最大に電流が流れる場合に対応した電源部が必要である。最大に電流が流れる場合は、２のべき乗比時間の各点灯期間がディスプレイ上のすべての画素で同一の時間帯である場合に生じる。例えば、各画素がすべて同じ輝度である場合が典型である。これは、点灯時間とアドレッシング時間のうち点灯時間では各画素で常に最大電流を要し、また点灯し得る時間が各画素で同一タイミングであるからである。
【０００５】
これに対して、アドレッシング時間をなくすように、走査線ごとにアドレッシングをしながら点灯を行いかつ２のべき乗比時間の各点灯時間に対応して消灯していく方法も採用することができる。この場合には、点灯のタイミングが各走査線で異なることから上記のような意味での最大電流が生じることはない。しかしながら、各点灯時間のうち例えば最大の２のべき乗比時間の時間帯では、すべての走査線を点灯させた時点でまだ最初の走査線で消灯が開始していないことが起こり得、すなわち、すべての走査線で同時に点灯がされることが生じ得る。よって、やはり、この最大の２のべき乗比時間の点灯がなされ得る輝度時では、すべての走査線、すべての画素に応じた最大の電流を要することになる。このような大電流に備えるための電源部は必然的に大型のものになる。
【０００６】
本発明は、上記した事情を考慮してなされたもので、時分割で階調の表示を行うディスプレイを駆動する時分割階調表示ディスプレイ用駆動装置およびそのような駆動装置を備えた時分割階調表示ディスプレイにおいて、ディスプレイに流れる電流の最大値を抑制することができる時分割階調表示ディスプレイ用駆動装置およびそのような駆動装置を備えた時分割階調表示ディスプレイを提供することを目的とする。
【課題を解決するための手段】
【０００７】
上記の課題を解決するため、本発明に係る時分割階調表示ディスプレイ用駆動装置は、第１、第２、および第３の色画素を有する走査線の前記各第１の色画素を第１の各データ線からの第１の各データに応じて前記走査線ごとに上から下へ点灯させ得る第１の点灯走査線駆動部と、前記第１の点灯走査線駆動部により点灯させられた前記各第１の色画素を前記走査線ごとに上から下へ消灯させ得る第１の消灯走査線駆動部と、前記走査線の前記各第２の色画素を第２の各データ線からの第２の各データに応じて前記走査線ごとに上から下へ点灯させ得る第２の点灯走査線駆動部と、前記第２の点灯走査線駆動部により点灯させられた前記各第２の色画素を前記走査線ごとに上から下へ消灯させ得る第２の消灯走査線駆動部と、前記走査線の前記各第３の色画素を第３の各データ線からの第３の各データに応じて前記走査線ごとに上から下へ点灯させ得る第３の点灯走査線駆動部と、前記第３の点灯走査線駆動部により点灯させられた前記各第３の色画素を前記走査線ごとに上から下へ消灯させ得る第３の消灯走査線駆動部と、前記第１の各データを前記各第１の色画素ごとに前記第１の各データ線を介して与える第１の色信号駆動部と、前記第２の各データを前記各第２の色画素ごとに前記第２の各データ線を介して与える第２の色信号駆動部と、前記第３の各データを前記各第３の色画素ごとに前記第３の各データ線を介して与える第３の色信号駆動部とを具備することを特徴とする。
【０００８】
すなわち、走査線を構成する各第１、第２、第３の画素ごとに点灯走査線駆動部と消灯走査線駆動部とを備えた構成とする。これによれば、各第１、第２、第３の画素ごとに点灯スキャンおよび消灯スキャンのタイミングを設定することができる。言い換えると１フレーム内での点灯のタイミング設定を各第１、第２、第３の画素で別々にすることができる。よって、例えば最大の２のべき乗比時間の点灯時間帯をこれらの画素でずらすことができる。したがって、従前の最大に電流を要する状態を解消することができる。
【０００９】
また、本発明に係る時分割階調表示ディスプレイは、上記のような駆動装置を備えたディスプレイである。よって、このディスプレイでは、従前の最大に電流を要する状態が解消され得る。
【発明の効果】
【００１０】
本発明に係る時分割階調表示ディスプレイ用駆動装置およびそのような駆動装置を備えた時分割階調表示ディスプレイによれば、各第１、第２、第３の画素ごとに点灯スキャンおよび消灯スキャンのタイミングを設定することができるので、ディスプレイに流れる電流の最大値を抑制することが可能になる。
【発明を実施するための最良の形態】
【００１１】
本発明の実施態様として、前記第１の点灯走査線駆動部と前記第１の消灯走査線駆動部とによる前記各第１の色画素における点灯期間、前記第２の点灯走査線駆動部と前記第２の消灯走査線駆動部とによる前記各第２の色画素における点灯期間、および前記第３の点灯走査線駆動部と前記第３の消灯走査線駆動部とによる前記各第３の色画素における点灯期間が、それぞれ、１フレーム内では２のべき乗比時間の各点灯期間の集合であり、前記２のべき乗比時間のうち最大の点灯期間が前記１フレーム内で占める時間帯が、前記各第１の色画素と前記各第２の色画素と前記各第３の色画素の３重で重ならないように設定されている、としてもよい。あらかじめ、第１、第２、第３の画素の各点灯タイミングを設定しておくものである。
【００１２】
また、実施態様として、前記第１の点灯走査線駆動部が前記走査線を上から下へ点灯させていく速度、前記第２の点灯走査線駆動部が前記走査線を上から下へ点灯させていく速度、および前記第３の点灯走査線駆動部が前記走査線を上から下へ点灯させていく速度をそれぞれ互いに異ならせるように、前記第１、第２、第３の点灯走査線駆動部にそれぞれクロック信号を供給する第１、第２、第３の可変クロック周波数発生回路をさらに具備するようにしてもよい。もっとも単純な場合にはこれらの速度を互いに異ならせる必要はないが、例えば、第１、第２、第３の画素がＲＧＢ（赤緑青）に対応する場合には、このような速度の違いによって１フレーム内での点灯開口比を変えることができるので、色バランス調整が可能になる。この色バランス調整は、各画素のデータに直接演算を行う場合より簡素な構成で可能である。
【００１３】
また、実施態様として、前記２のべき乗比時間の各点灯期間は、１、２、４、８、１６、および３２の時間比の各点灯期間であるとすることができる。これによれば、６４階調の表示ができる。ほぼ十分な階調表現が実現する。
【００１４】
また、実施態様として、前記２のべき乗比時間の各点灯期間は、その順序として、昇べきの順でなく降べきの順でもない、とし得る。時分割階調表示方式におけるいわゆる擬似輪郭発生を防止するものである。
【００１５】
また、実施態様として、前記１フレームは、１／６０秒であるとすることができる。従来からの表示装置に整合する１フレーム時間である。
【００１６】
以上を踏まえ、以下では本発明の実施形態を図面を参照しながら説明する。まず、実施形態に対する比較参照例としての形態を図８を参照して説明する。
【００１７】
図８は、比較参照例としての時分割階調表示ディスプレイの構成を示す図である。このディスプレイは、映像信号駆動部１１、点灯走査線駆動部１２、消灯走査線駆動部１３、パネル１４を有する。パネル１４には、マトリックス状に画素ＡＡ、ＡＢ、ＡＣ、…、ＢＡ、ＢＢ、ＢＣ、…がある。これらの画素は、映像信号駆動部１１のデータ線１５Ｒ、１５Ｇ、１５Ｂから各データが与えられると、点灯走査線駆動部１２の走査線１６からの点灯駆動信号により点灯し、この点灯状態は、消灯走査線駆動部１３の走査線１７からの消灯駆動信号により消灯状態に変わる。なお、以下では、駆動信号を与える走査線１６、１７のほかに、画素ＡＡ、ＡＢ、ＡＣ、…のような横方向の各並びも走査線（またはライン：すなわち表示画像としての走査線）と呼ぶ。
【００１８】
各画素ＡＡ、ＡＢ、ＡＣ、…、ＢＡ、ＢＢ、ＢＣ、…それぞれは、点灯状態と消灯状態のいずれかしか取り得ず、中間的な状態はない。このような性質の画素をマトリクス状に作り込んでディスプレイ用のパネルとしたものには、周知のようにＰＤＰや有機ＥＬパネルなどがある。ディスプレイとしての中間調を表現するため各画素ＡＡ、ＡＢ、ＡＣ、…、ＢＡ、ＢＢ、ＢＣ、…は、１フレーム内を時分割して（サブフレーム化して）細かい点滅がなされる（後述）。
【００１９】
なお、この例では、パネル１４の画素の並びは、縦方向の１列目画素ＡＡ、ＢＡ、…が赤（Ｒ）画素、２列目画素ＡＢ、ＢＢ、…が緑（Ｇ）画素、３列目画素ＡＣ、ＢＣ、…が青（Ｂ）画素となっており、以下同様の繰り返しになっているものとする。また、各画素ＡＡ、ＡＢ、ＡＣ、…、ＢＡ、ＢＢ、ＢＣ、…には、データ線、走査線の他に電源線（図示せず）が接続されており、点灯状態となったときにはその状態を保つため電源線を介して各画素に電流が流れる。
【００２０】
パネル１４以外に目を向けると、映像信号駆動部１１はシフトレジスタ構造になっており、これにより映像信号（２値）がサブフレームの各ラインごとにロードされ、ロードされたラインごとの映像信号はデータ線１５Ｒ、１５Ｇ、１５Ｂ、…によりパネル１４に与えられる。各ラインごとデータのロードのためクロック入力によりシフトレジスタのシフトがなされる。
【００２１】
点灯走査線駆動部１２は、点灯信号をロードしてこれを点灯スキャンクロックにより上から下方向にシフトすることにより、各走査線１６に点灯駆動信号を出力していく。駆動信号が出力された走査線１６に接続された横一行の画素のそれぞれは、そのときに映像信号駆動部１１のデータ線１５Ｒ、１５Ｇ、１５Ｂ、…からのデータの値により（すなわち点灯のデータであれば）点灯させられる。
【００２２】
消灯走査線駆動部１３は、消灯信号をロードしてこれを消灯スキャンクロックにより上から下方向にシフトすることにより、各走査線１７に消灯駆動信号を出力していく。駆動信号が出力された走査線１７に接続された横一行の画素は、そのときの点灯／消灯状態にかかわらず一斉に消灯状態にされる。
【００２３】
図９は、図８に示した時分割階調表示ディスプレイにおける点灯／消灯の時系列的な変化、およびそのときのパネル１４全体の画素に流れる１フレーム内での電流の値を示す図である。
【００２４】
図９の上側の図に示すように、１フレームはいくつかの（ここでは６つの）サブフレームＳＦ１〜ＳＦ６に分割される。ここでサブフレームは、便宜上、点灯スキャンがパネル１４の最上で開始したときに始まり次の点灯スキャンが開始するまでの間であると定義する。なお、１フレームは例えば１／６０秒であるが、面フリッカが発生しないように考慮しつつそれ以外としてもよい。
【００２５】
サブフレームＳＦ１で点灯スキャン（図で実線で表示）２１が開始し下方向に点灯駆動信号が移動すると、これに伴い各走査線ごとに点灯が開始される（もちろんデータ線に点灯を指示する信号がある画素のみ点灯）。次に、１点灯期間を経て消灯スキャン（図で点線で表示）２２が開始し下方向に消灯駆動信号が移動すると、これに伴い各走査線ごとにすべて消灯状態にされる。すなわち、点灯スキャン２１と消灯スキャン２２に挟まれる期間（図でドットパターンで表示）が点灯状態になり得る期間である。
【００２６】
上記の点灯および消灯は、サブフレームＳＦ２、ＳＦ３、ＳＦ４、ＳＦ５、ＳＦ６でも基本的に同じである。ただし、消灯スキャン２２が点灯スキャン２１を追いかけるまでの期間（すなわち点灯期間）が、それぞれ２点灯期間、４点灯期間、８点灯期間、１６点灯期間、３２点灯期間と、２のべき乗比時間になっている。このようにして、１フレーム内を、２のべき乗比時間の各点灯の集合により構成すれば中間的な輝度を表現することができる。例えば、輝度１０であれば、サブフレームＳＦ２とサブフレームＳＦ４のみ点灯させ他のサブフレームを消灯とすることにより、輝度５４であれば、サブフレームＳＦ２、ＳＦ３、ＳＦ５、ＳＦ６のみ点灯させ他のサブフレームを消灯とすることにより、階調表現できる。このように、この場合は輝度０から輝度６３まで６４階調の表示ができる（なお、実際には各画素はＲ画素、Ｇ画素、Ｂ画素であり、この意味で「輝度」というのは適当でないが、便宜上用いる。）。
【００２７】
この点灯／消灯駆動をした場合にパネル１４全体の画素に流れる１フレーム内での電流は、最大で（すなわち輝度６３のとき）図９の下側に示す図のようになる。図９の下側のような電流の推移となるのは、上側の図の各時点においてドットパターンを縦方向に縦断するときの長さをみればわかる。
【００２８】
この電流推移からわかるように、この形態で最大電流となるのは１フレーム内のサブフレームＳＦ５、ＳＦ６の付近に限られている。パネル１４は、当然ながら、この最大電流に対応するだけの電源部（図示せず）を具備することを要する。
【００２９】
次に、図１は、本発明の一実施形態に係る時分割階調表示ディスプレイの構成を示す図である。このディスプレイは、色信号駆動部１Ｒ、１Ｇ、１Ｂ、点灯走査線駆動部２Ｒ、２Ｇ、２Ｂ、消灯走査線駆動部３Ｒ、３Ｇ、３Ｂ、パネル４を有する。パネル４には、マトリックス状に画素ａａ、ａｂ、ａｃ、…、ｂａ、ｂｂ、ｂｃ、…がある。画素の並びは、縦方向の１列目画素ａａ、ｂａ、…がＲ画素、２列目画素ａｂ、ｂｂ、…がＧ画素、３列目画素ａｃ、ｂｃ、…がＢ画素となっており、以下同様の繰り返しになっているものとする。
【００３０】
すなわち、この時分割階調表示ディスプレイは、図８に示したものに比較し、映像信号駆動部１１に代えて３つの色信号駆動部１Ｒ、１Ｇ、１Ｂを有し、また点灯走査線駆動部１２に代えて３つの点灯走査線駆動部２Ｒ、２Ｇ、２Ｂを有し、さらに消灯走査線駆動部１３に変えて３つの消灯走査線駆動部３Ｒ、３Ｇ、３Ｂを有しているところが相違点である。点灯走査線駆動部２Ｒ、２Ｇ、２Ｂのパネル４内への接続先は、図示するように、それぞれ対応する色の画素のみになっており、これは消灯走査線駆動部３Ｒ、３Ｇ、３Ｂについて同様である。
【００３１】
Ｒ画素ａａ、ｂａ、…は、映像信号駆動部１Ｒのデータ線５Ｒからデータが与えられると、点灯走査線駆動部２Ｒの走査線６Ｒからの点灯駆動信号により点灯し、この点灯状態は、消灯走査線駆動部３Ｒの走査線７Ｒからの消灯駆動信号により消灯状態に変わる。同様に、Ｇ画素ａｂ、ｂｂ、…は、映像信号駆動部１Ｇのデータ線５Ｇからデータが与えられると、点灯走査線駆動部２Ｇの走査線６Ｇからの点灯駆動信号により点灯し、この点灯状態は、消灯走査線駆動部３Ｇの走査線７Ｇからの消灯駆動信号により消灯状態に変わる。同様に、Ｂ画素ａｃ、ｂｃ、…は、映像信号駆動部１Ｂのデータ線５Ｂからデータが与えられると、点灯走査線駆動部２Ｂの走査線６Ｂからの点灯駆動信号により点灯し、この点灯状態は、消灯走査線駆動部３Ｂの走査線７Ｂからの消灯駆動信号により消灯状態に変わる。
【００３２】
なお、以下でも、駆動信号を与える走査線６Ｒ、７Ｒなどのほかに、画素ａａ、ａｂ、ａｃ、…のような横方向の各並びも走査線（またはライン：すなわち表示画像としての走査線）と呼ぶ。また、図８での説明と同様に、各画素ａａ、ａｂ、ａｃ、…、ｂａ、ｂｂ、ｂｃ、…それぞれは、点灯状態と消灯状態のいずれかしか取り得ず、中間的な状態はない。さらに、各画素の電源線の条件も図８に示した形態での説明と同様である。
【００３３】
色信号駆動部１Ｒ、１Ｇ、１Ｂそれぞれの内部構成は、図８における映像信号駆動部１１とほぼ同様である。だだし、各色ごとに独立したのでシフトレジスタの数はそれぞれ１／３になる。点灯走査線駆動部２Ｒ、２Ｇ、２Ｂそれぞれの内部構成は、図８における点灯走査線駆動部１２と同様である。また、消灯走査線駆動部３Ｒ、３Ｇ、３Ｂそれぞれの内部構成も、図８における消灯走査線駆動部１３と同様である。
【００３４】
図２は、図１に示した時分割階調表示ディスプレイにおけるＲ画素の点灯／消灯の時系列的な変化、およびそのときのパネル４のＲ画素全体に流れる１フレーム内での電流の値を示す図である。
【００３５】
図２の図９に対する違いは、フレーム内の各サブフレームの順序である。図９に示す場合では、点灯期間比が１、２、４、８、１６、３２と昇べきの順に配置したが、ここでは、１、８、１６、４、３２、２とした。このような変更は、点灯スキャン２１Ｒ、消灯スキャン２２Ｒのタイミングをそれぞれ所望に変えることで実現する。このような変更後のサブフレームの順序により、パネル４のＲ画素全体に流れる１フレーム内の電流の推移（だだし最大のとき）は、図２の下側に示すようになる。なお電流ピーク期間の電流値は、当然ながら図９に示す場合のピーク値の１／３である。
【００３６】
図３は、図１に示した時分割階調表示ディスプレイにおけるＧ画素の点灯／消灯の時系列的な変化、およびそのときのパネル４のＧ画素全体に流れる１フレーム内での電流の値を示す図である。
【００３７】
図３の図９に対する違いも、フレーム内の各サブフレームの順序である。ここでは、１６、１、３２、８、４、２とした。このようなサブフレームの順序により、パネル４のＧ画素全体に流れる１フレーム内の電流の推移（だだし最大のとき）は、図３の下側に示すようになる。電流ピーク期間の電流値は、図９に示す場合のピーク値の１／３である。
【００３８】
図４は、図１に示した時分割階調表示ディスプレイにおけるＢ画素の点灯／消灯の時系列的な変化、およびそのときのパネル４のＢ画素全体に流れる１フレーム内での電流の値を示す図である。
【００３９】
図４の図９に対する違いも、フレーム内の各サブフレームの順序である。ここでは、３２、２、４、８、１６、１とした。このようなサブフレームの順序により、パネル４のＢ画素全体に流れる１フレーム内の電流の推移（ただし最大のとき）は、図４の下側に示すようになる。電流ピーク期間の電流値は、図９に示す場合のピーク値の１／３である。
【００４０】
以上の図２、図３、図４に示した１フレーム内の電流の推移（ただし最大値のとき）を加算することで１フレーム内でのパネル４全体の画素に流れる電流推移を知ることができる。これを示したものが図５である。図５は、本発明の一実施形態に係る時分割階調表示ディスプレイにおける１フレーム内での電流推移（ただし最大の場合）を示す図である。図５に示すように、本実施形態では、比較参照例とした図８、図９の場合に比較してピーク時の電流値を７、８割程度に抑制することができる。よって、必要な電源部の仕様も小さなもので足りる。
【００４１】
以上の説明でわかるように、この実施形態における上記の効果は、走査線を構成する各Ｒ、Ｇ、Ｂの画素ごとに点灯走査線駆動部２Ｒ、２Ｇ、２Ｂと消灯走査線駆動部２Ｒ、２Ｇ、２Ｂとを備えた構成としたことに由来している。これにより、各Ｒ、Ｇ、Ｂの画素ごとに独立に点灯スキャン２１Ｒ、２１Ｇ、２１Ｂおよび消灯スキャン２２Ｒ、２２Ｇ、２２Ｂのタイミングを設定することができる。そこで最大の２のべき乗比時間の点灯時間帯をこれらの画素でずらしたものである。
【００４２】
なお、図２、図３、図４に示すようなそれぞれのサブフレームの順序は、これに限られるものではない。少なくとも、最大の２のべき乗比時間の点灯時間帯が３重に重ならないように設定することが重要である。そのひとつの例として、図９に示したような昇べきの順のサブフレームを維持して、各Ｒ、Ｇ、Ｂの画素ごとに位相を変えるようにすることも考えられる。ただし、サブフレームの構成として昇べきの順や降べきの順の点灯期間比の並びは、いわゆる擬似輪郭が発生しやすいので注意を要する。擬似輪郭とは、例えば輝度３１と輝度３２のように輝度差は小さいがフレーム内での点灯する期間が大きく異なることに由来してその表示画像上の輝度差境界に輪郭線が見えることをいう。動画像では特に問題となるので、この点では図２から図４に示すような、規則性のない点灯期間比の並びが無難である。
【００４３】
また、以上の説明では、サブフレームの設定により６４階調とする場合を説明したが、これより少ない階調や多い階調も、１フレーム内でのサブフレームの数を変えれば実現する。
【００４４】
次に、以上説明した実施形態に付加できる機能について図６、図７を参照して説明する。図６は、図２に示したＲ画素の点灯／消灯の時系列的な変化、およびそのときのパネル４のＲ画素全体に流れる電流が、それぞれ１フレーム内で時間圧縮的に生じた場合を示している。このような時間圧縮的な動作は、点灯走査線駆動部２Ｒへの点灯スキャンクロックおよび消灯走査線駆動部３Ｒへの消灯スキャンクロックの周波数を大きくするだけで実現する。すなわち、図からわかるように点灯スキャン２１Ｒａおよび消灯スキャン２２Ｒａの速度が速くなっている。
【００４５】
同様に、点灯走査線駆動部２Ｇへの点灯スキャンクロックおよび消灯走査線駆動部３Ｇへの消灯スキャンクロックの周波数を大きくすれば、図３に示したＧ画素の点灯／消灯の時系列的な変化、およびそのときのパネル４のＧ画素全体に流れる電流が、それぞれ１フレーム内で時間圧縮的に生じる。これは、図４のＢ画素の場合に対して同様である。
【００４６】
そこで、このような動作を利用してディスプレイの色バランス調整を行うことができる。すなわち、図６の上側に示すように１フレーム内での点灯開口率を小さくすると、この場合には赤が抑制される。同様に、緑または青を抑制することができる。
【００４７】
具体的な構成を示すものが図７である。図７は、色バランス調整のため、本発明の一実施形態に付加できる構成例を示す図である。色バランス調整部７２からの調整信号により、可変周波数クロック発生回路７１Ｒ、７１Ｇ、７１Ｂは、出力するクロック周波数を変化させる。この周波数変化されたクロックが、それぞれ点灯走査線駆動部２Ｒ、消灯走査線駆動部２Ｒなどへ導かれる。周波数が高いほどそのクロックが入力される駆動部の担当する色は抑制されることになる。
【００４８】
このような構成による色バランス調整は、色信号や映像信号に対して直接に演算を行う場合に比べて非常に簡単な構成で済む利点がある。
【図面の簡単な説明】
【００４９】
【図１】本発明の一実施形態に係る時分割階調表示ディスプレイの構成を示す図。
【図２】図１に示した時分割階調表示ディスプレイにおけるＲ画素の点灯／消灯の時系列的な変化、およびそのときのパネル４のＲ画素全体に流れる電流の値（最大の場合）を示す図。
【図３】図１に示した時分割階調表示ディスプレイにおけるＧ画素の点灯／消灯の時系列的な変化、およびそのときのパネル４のＧ画素全体に流れる電流の値（最大の場合）を示す図。
【図４】図１に示した時分割階調表示ディスプレイにおけるＢ画素の点灯／消灯の時系列的な変化、およびそのときのパネル４のＢ画素全体に流れる電流の値（最大の場合）を示す図。
【図５】本発明の一実施形態に係る時分割階調表示ディスプレイにおける１フレーム内での電流推移（ただし最大の場合）を示す図。
【図６】図２に示したＲ画素の点灯／消灯の時系列的な変化、およびそのときのパネル４のＲ画素全体に流れる電流が、それぞれ１フレーム内で時間圧縮的に生じた場合を示す図。
【図７】色バランス調整のため、本発明の一実施形態に付加できる構成例を示す図。
【図８】比較参照例としての時分割階調表示ディスプレイの構成を示す図。
【図９】図８に示した時分割階調表示ディスプレイにおける点灯／消灯の時系列的な変化、およびそのときのパネル１４全体の画素に流れる電流の値を示す図。
【符号の説明】
【００５０】
１Ｒ，１Ｇ，１Ｂ…色信号駆動部、２Ｒ，２Ｇ，２Ｂ…点灯走査線駆動部、３Ｒ，３Ｇ，３Ｂ…消灯走査線駆動部、４…パネル、５Ｒ，５Ｇ，５Ｂ…データ線、６Ｒ，６Ｇ，６Ｂ…走査線、７Ｒ，７Ｇ，７Ｂ…走査線、７１Ｒ，７１Ｇ，７１Ｂ…可変周波数クロック発生回路、７２…色バランス調整部。
【図１】
2005128306.tif 000003
【図２】
2005128306.tif 000004
【図３】
2005128306.tif 000005
【図４】
2005128306.tif 000006
【図５】
2005128306.tif 000007
【図６】
2005128306.tif 000008
【図７】
2005128306.tif 000009
【図８】
2005128306.tif 000010
【図９】
2005128306.tif 000011